【事件の表示】
　平成　４年特許願第　６４１５４号「画像形成装置」拒絶査定不服審判事件〔平成　５年１０月１５日出願公開、特開平　５−２６８３９４〕について、次のとおり審決する。
【結　論】
　本件審判の請求は、成り立たない。
【理　由】
１．手続の経緯・本願発明 
　本願は、平成４年３月１９日の出願であって、その請求項１に係る発明は、平成１３年５月１日及び、平成１４年１２月２０日付けの手続補正書により補正された明細書及び図面の記載からみて、特許請求の範囲の請求項１に記載された次のとおりのものと認める。（以下、「本願発明」という。）
「【請求項１】
　原稿を読み取るための読取手段と、記録シートに画像を形成するための記録手段と、オペレータが当該装置を操作する位置に居るか否かを検出する人体検出手段と、モードの設定及び表示を行う操作部とを備え、複写機能、ファクシミリ機能、プリンタ機能、ファイル処理機能のうち少なくとも二つを有する画像形成装置において、オペレータが前記操作部より割り込みモードを設定し前記機能のうちの一つの機能の実行に割り込んで他の機能を実行しているときに、前記割り込んだ他の機能の実行終了後所定の時間が経過し且つ前記人体検出手段の出力信号によりオペレータが当該装置を操作する位置に居ないことを検出した場合に割り込み前の機能に復帰させる制御手段を設けたことを特徴とする画像形成装置。」
　
２．引用刊行物記載の発明
  これに対して、原査定の拒絶の理由に引用された、特開昭６１−２３５８５８号公報（以下「引用例１」という。）には、次の事項が記載されている。
（１）「操作部近傍に操作者の在・不在を検出する手段を有し、上記検出手段による操作者の在・不在の検出信号と、任意の複写モードでの複写終了信号とのアンド信号により複写モードを所定の標準モードに切替えることを特徴とする複写制御装置。」（引用例１の１頁下左欄５〜９行）
（２）「この様に各種のモードがキー入力で設定出来るようになっているが、前使用者の設定したモードと異なるモードでコピーをとりたい場合は新たにキー操作をし直す必要がある。しかしながらこの操作はややもすると忘れがちであり、そうなると、所望していないコピーが出来てしまうという不具合がある。
　これを解消するために、所定時間後に基準モード（例えば用紙はＡ４、変倍率は等倍、画像濃度は中間値）にリセットするオートモードクリア方式が採用されているのが一般的である。
　しかしながら、この場合はタイマーにて一定時間経過後に標準モードに復帰するものであるから、復帰する前に次の人がコピーをとる場合、前述と同様にミスコピーしてしまう虞れがある。
　〔目的〕
　本発明はこの様な背景に基づいてなされたものであり、前の使用者（操作者）に引き続き（直後に）コピー動作を行なう場合も、標準モードに復帰した状態で行うことが出来ると共にコピー作業の途中で複写装置の操作部近傍から離れる場合、複写モードをそのままに保持しておくことの出来る複写制御装置を提供することを目的とする。」（引用例１の１頁下右欄１行〜２頁上左欄３行）
（３）「まず、第１図は本発明の一実施例に係る複写装置の、ハードウェア、信号の入出力関係を示す図である。
　図において１は複写装置、２は操作部、３は圧板（ＡＤＦ）、４はリード線、５と操作者検出手段（圧力センサ）、６は床、７は操作者、８は排紙トレイ、９はコピー紙、１１は原稿給送部（ＡＤＦ）、１２は原稿、１３は原稿露光部、１４は原稿排出部、１５は表示手段、１６は制御回路、１７は原稿検出手段、１８は照明光学系検知手段、１９はコピー紙搬送検知手段、２０はコピー紙検出手段である。
　　・・・（中略）・・・
　第２図はマット状の圧力センサ５の上に操作者７が乗った状態の複写装置の側面図である。
　第３図の様に圧力センサ５の代わりに複写装置１の手前側に赤外線センサ１０を設け、操作者の検出手段としてもよい。」（引用例１の２頁上左欄１１行〜同頁上右欄１６行）
（４）「次にその制御動作について説明する。
　操作者７は複写装置１の操作部２の近傍の床面６に置かれた操作者検出手段５（第１実施例の場合）上の位置で、操作部２より希望の複写モードをキー操作等により入力設定し、複写作業を行う。
　複写作業が終了すると圧力３を解放し、複写原稿（図示しない）を取り、排紙トレイ８よりコピー９を取って、操作者検出手段５上から離れる。
　この時、操作者の設定した複写モードの終了信号と操作者検出手段５により操作者が複写装置から離れたことを検出する信号とが発生する。ここで終了信号は照明光学系検知手段１８又はコピー紙搬送検知手段１９の検知信号のカウント数と複写予約枚数とを比較することにより得られる。操作者が複写装置を離れたことを検出した信号により、標準モードに切替えられる。
　第５図はこの動作の機能ブロック図、第６図は同、フローチャートである。複写モードの切替手段１６ａは制御回路１６の機能表現である。フローチャートから明らかな様に、コピー作業開始後、操作者が複写装置から離れた場合、即ち、圧力センサ５から離れた場合、そのオフ信号（あるいはオン信号）で標準モードへの切替えを行ない且つ標準モード内容の表示を行うものである。
　また操作者検出手段５あるいは１０からの信号と、複写終了検出手段１６ｂからの信号のアンド信号により、複写装置１の複写モードが所定の標準モードに切替えられるようにすれば、複写作業の途中で転写紙やトナーがなくなるとか他の理由で、操作者が複写機を離れて戻ってきて補給作業を行なった後でも複写モードはホールドされたままであり、複写作業をそのまま続行できる。この時、操作者の到来を検知する信号と、複写作業の終了信号とにより、複写作業が未終了であること、または標準モードでないことを音声等により、到来した操作者に対して知らせることが出来る。」（引用例１の２頁下左欄１０行〜３頁上左欄６行）
（５）「標準モード記憶手段１６ｄは制御回路１６の機能表現である。また標準モード設定手段は各種のキー入力である。このフロー中、標準モードの設定ステップに示す様に、各モードのうち１つでも良いし、全部（ここに示す以外のモードも含めて）でも良いし、要するに任意のモードを標準モードとして設定出来るようになっている。
　操作者検出手段としては、第２図のような圧力センサ５、第３図のような赤外線センサ（光センサ）１０の他、超音波センサ等が考えられるが、複写機周辺を往来する人が操作者検出手段の検出範囲を明確に把握できること、往来者を誤検出する危険の少なさ、等の点から第２図のような床置きタイプの圧力センサが最適である。
　標準モードに復帰した状態で、次の操作者７が複写装置１に近づき、操作者検出手段５の上に立つと操作者７の存在の検出信号により、複写モードが予め設定してある標準モードであることを視覚あるいは音声表示により、操作者７に対して知らせるようにすることも出来る。
　この時、操作者７は希望する複写モードが標準モードであれば、そのまま複写作業を行い、他のモードで複写したい場合は、操作部２にてキー入力等により、モードの修正設定を行い、複写作業を行なう。複写作業が終了して、操作者７が操作者検出手段５上より離れると、不在であることを検出して、前記のごとく、標準モードに復帰する。」（引用例１の３頁上右欄３行〜同頁下左欄１０行）
（６）「以上述べたようにしても、次のような場合は、いささか不具合が生じる。つまり、１対１コピー（１枚の原稿から１枚のコピーをとる）にて、第１図のＡＤＦ１１に複数枚の原稿１２をセットして標準モード外の複写倍率で作業している途中で、紙、トナー等がなくなり、操作者７が補給作業のためにその場を離れ、戻ってきて補給し、複写作業を再会する場合がある。
　その際、複写モードは、標準モードに復帰しており、音声等により、その旨を表示されるにせよ、再度、複写倍率等を希望のモードに設定するのは煩わしい。
　このような場合は、原稿給送部１１、原稿露光部１３、原稿排出部１４のうち少なくともいずれかには原稿検知手段１７を設け、操作者の在不在検出信号にかかわらず、原稿を検知している間は、複写モードが所定の標準モードに復帰しないようにすれば良い。」（引用例１の３頁下右欄２〜１９行）
（７）「本発明は以上述べた通りのものであり、本発明によれば操作者がコピー終了により複写装置の前から離れたと同時に、これを検知してモードを標準モードに戻す様にすると共にコピー途中で操作部近傍から離れた場合は複写モードを変えないようにしたものであるから、次の操作者が誤って前の人の設定したモードでミスコピーしてしまう虞れはない。」（引用例１の４頁下左欄３〜１０行）
 
 この記載事項によると、引用例１には、
「原稿を読み取るための読取装置と、記録シートに画像を形成するための記録手段と、操作者の検出手段５（１０）と、モードの設定及び表示を行う操作部２とを備えた複写装置において、
　操作者７は操作部２より希望の複写モードをキー操作等により入力設定し、複写作業を行い、複写作業が終了して操作者が複写装置から離れると、操作者の設定した複写モードの終了信号と操作者検出手段５により操作者が複写装置から離れたことを検出すると標準モードに切替えられることを特徴とする複写装置。」
の発明（以下、「引用例１記載の発明」という。）が記載されていると認められる。
　
３．対比
　本願発明と引用例１に記載された発明を対比すると、引用例１の操作者検出手段が、本願発明のように、オペレータが当該装置を操作する位置に居るか否かを検出する人体検出手段とは明記されていないが、操作者が装置の側に居るか否かを検出しているものと認められ、
　引用例１の複写装置も下記の相違点を除けば画像形成装置であり、
　また、引用例の制御がどこで行われるかは明記されていないが、制御回路１６で行われていることは明白であるから、両者は、
「原稿を読み取るための読取手段と、記録シートに画像を形成するための記録手段と、オペレータが居るか否かを検出する人体検出手段と、モードの設定及び表示を行う操作部とを備た画像形成装置において、
　オペレータが他の機能を実行しているときに、前記他の機能の実行終了後且つ前記人体検出手段の出力信号によりオペレータが当該装置を操作する位置に居ないことを検出した場合に機能を復帰させる制御手段を設けたことを特徴とする画像形成装置。」
で一致し、次の点で相違する。
（相違点）
（相違点１）
　人体検出手段が、本願発明では、オペレータが当該装置を操作する位置に居るか否かを検出するのに対して、引用例１には、操作者の存在を検出しているが、操作者が当該装置を操作する位置に居るか否かを検出するとは明記されていない点。
（相違点２）
　画像形成装置が、本願発明では、複写機能、ファクシミリ機能、プリンタ機能、ファイル処理機能のうち少なくとも二つを有する画像形成装置であるのに対して、引用例１では、複写装置である点。
（相違点３）
　本願発明の割り込みモードが、一つの機能の実行に割り込んで他の機能を実行することであるのに対して、引用例１では、操作者の設定した設定モードと、標準モードとである点。
（相違点４）
　制御手段が、本願発明では、オペレータが前記操作部より割り込みモードを設定し前記機能のうちの一つの機能の実行に割り込んで他の機能を実行しているときに、前記割り込んだ他の機能の実行終了後所定の時間が経過し且つ前記人体検出手段の出力信号によりオペレータが当該装置を操作する位置に居ないことを検出した場合に割り込み前の機能に復帰させる制御手段であるのに対して、引用例１では、制御回路が、操作者７は操作部２より希望の複写モードをキー操作等により入力設定し、複写作業を行い、複写作業が終了して操作者が複写装置から離れると、操作者の設定した複写モードの終了信号と操作者検出手段５により操作者が複写装置から離れたことを検出すると標準モードに切替えられるように制御している点。
　
４．当審の判断
  上記相違点について検討すると、
（１）相違点１について
　引用例１のマット状の圧力センサ５も、赤外線センサ１０も複写装置１の前面にあり、複写装置の前面には操作部２があることから、操作者が操作部を操作する位置に居るときに検出を行っているものと認められ、また、「目的」にも、「標準モードに復帰した状態で行うことが出来ると共にコピー作業の途中で
複写装置の操作部近傍から
（２）相違点２について
　複写機、ファクシミリ、プリンタ等の機能を一体化した複合機は周知であるから（特開昭６３−２７９２６９号公報、実開昭６２−６９２５４号公報等を参照。）、引用例１のものを、複写機能、ファクシミリ機能、プリンタ機能、ファイル処理機能のうち少なくとも二つを有する画像形成装置とすることは当業者が容易に考えられることである。
（３）相違点３について
　複合機、複写機等において、割り込み機能により割り込んで操作をすることは周知のことである（例えば、特開昭６３−２７９２６９号公報等を参照。）から、一つの機能の実行に割り込んで他の機能を実行するようにすることは、当業者が容易に考えられることである。
（４）相違点４について
　オペレータの操作ミスを防止するための方法として、引用例１の従来例に記載されている、所定時間後に基準モードに戻すオートモードクリア方式等が周知である。（引用例１の従来例以外には、実願昭６０−１６０７４３号（実開昭６２−６９２５４号）の願書に添付された明細書および図面の内容を撮影したマイクロフィルム、実願昭６０−１５３６７９号（実開昭６２−６３７５４号）の願書に添付された明細書および図面の内容を撮影したマイクロフィルム等を参照。）
　ここで、引用例１では、従来、所定時間後に基準モードにリセットするオートモードクリア方式が採用されているのが一般的であるが、この場合、タイマーにて一定時間経過後に標準モードに復帰するものであるから、復帰する前に次の人がコピーをとる場合、ミスコピーしてしまう虞があったので、引用例１では、前の使用者（操作者）に引き続き（直後に）コピー動作を行なう場合も、標準モードに復帰した状態で行うことが出来ると共にコピー作業の途中で複写装置の操作部近傍から離れる場合、複写モードをそのままに保持しておくことの出来る複写制御装置を提供することを目的とするものであり、効果には「操作者がコピー終了により複写装置の前から離れたと
同時に
　しかし、本願発明も引用例１記載の発明も、人体検出手段の検出結果に応じて機能の変更を行うという基本的考えは同じであり、引用例１のものは、複写作業の途中で転写紙やトナーがなくなるとか他の理由で、操作者が複写機を離れて戻ってきて補給作業を行なった後でも複写モードはホールドされたままであり、複写作業をそのまま続行できるようにするとともに、
次の操作者が誤って前の人の設定したモードでミスコピーしてしまう虞をなくすため
その前のオペレータの使用した機能と異なる機能で使用したい場合
オペレータが所望していない機能を使ってしまう恐れがある
オペレータの操作ミスを防ぐ
人体検出手段を設ける
オペレータの操作ミスを防止
　また、上述したように、オペレータの操作ミスを防止するため方法として、所定時間後に基準モードに戻すオートモードクリア方式等が周知である。
　このように、オペレータの操作ミスを防止するものとして、オートモードクリア方式と、操作者検出手段を設けるものの二つの方法があり、さらに、これらのものを何の先入観もなく並列的に並べて観たときに、操作者検出手段を設けることにより、オペレータの操作ミスを防止するものにおいて、操作者がコピー終了により複写装置の前から離れたと同時に、これを検出してモードを標準モードに戻すものから、操作者がコピー終了してから所定時間経過し且つ複写装置の前から離れたことを検出したことにより標準モードに戻すようにすることは当業者が容易に考えられることである。
　したがって、引用例１において、本願発明のように、オペレータが操作部より割り込みモードを設定し前記機能のうちの一つの機能の実行に割り込んで他の機能を実行しているときに、割り込んだ他の機能の実行終了後所定の時間が経過し且つ前記人体検出手段の出力信号によりオペレータが当該装置を操作する位置に居ないことを検出した場合に割り込み前の機能に復帰させる制御手段を設けることは、当業者が容易に考えられることと認められる。
  
５．むすび
  したがって、本願発明は、引用刊行物に記載された発明、及び周知技術に基いて当業者が容易に発明をすることができたものであるので、特許法第２９条第２項の規定により特許を受けることができない。  よって、結論のとおり審決する。